(57)【要約】【課題】中古品を売買する。【解決手段】電子商取引システムは、電子機器と通信可能に接続される出品用端末装置と、出品用端末装置とネットワークを介して通信可能に接続される電子商取引サーバー装置とを具備し、電子商取引サーバー装置は、出品用端末装置から電子商取引サイトに出品することを要求された電子機器の初期価格を決定し、出品対象である電子機器と、最新価格としての初期価格とを、電子商取引サイトにアップロードすることにより電子機器を出品し、電子機器は、電子機器が稼働すると、出品用端末装置に、電子機器の最新の状態を示す情報である状態情報を送信し、出品用端末装置は、電子機器から、状態情報を受信し、電子商取引サーバー装置に、状態情報を送信し、電子商取引サーバー装置は、出品用端末装置から、状態情報を受信し、状態情報に基づき、電子機器の最新価格を更新し、更新後の最新価格を、電子商取引サイトにアップロードする。【選択図】図８
2020154379.tif 000002
【特許請求の範囲】
【請求項１】
第１の制御回路を有する電子機器と通信可能に接続され、第２の制御回路を有する出品用端末装置と、
電子商取引サイトを提供し、前記出品用端末装置とネットワークを介して通信可能に接続され、第３の制御回路を有する電子商取引サーバー装置と
を具備し、
前記電子商取引サーバー装置の前記第３の制御回路は、
前記出品用端末装置から前記電子商取引サイトに出品することを要求された前記電子機器の初期価格を決定し、
出品対象である前記電子機器と、最新価格としての前記初期価格とを、前記電子商取引サイトにアップロードすることにより前記電子機器を出品し、
前記電子機器の前記第１の制御回路は、
前記電子機器が稼働すると、前記出品用端末装置に、前記電子機器の最新の状態を示す情報である状態情報を送信し、
前記出品用端末装置の前記第２の制御回路は、
前記電子機器から、前記状態情報を受信し、
前記電子商取引サーバー装置に、前記状態情報を送信し、
前記電子商取引サーバー装置の前記第３の制御回路は、
前記出品用端末装置から、前記状態情報を受信し、
前記状態情報に基づき、前記電子機器の前記最新価格を更新し、
更新後の前記最新価格を、前記電子商取引サイトにアップロードする
電子商取引システム。
【請求項２】
請求項１に記載の電子商取引システムであって、
前記電子商取引サーバー装置の前記第３の制御回路は、
前記ネットワークを介して通信可能に接続され、第５の制御回路を有する購入用端末装置から、前記電子機器を購入することを要求するための購入要求を受信し、
前記出品用端末装置に、前記購入要求を受信したことを示す通知である購入要求通知を送信し、
前記出品用端末装置の前記第２の制御回路は、
前記電子商取引サーバー装置から、前記購入要求通知を受信すると、
前記電子機器に、前記状態情報を送信することを要求するための状態情報要求を送信し、
前記電子機器の前記第１の制御回路は、
前記出品用端末装置から、前記状態情報要求を受信すると、
前記出品用端末装置に、前記状態情報を送信し、
前記出品用端末装置の前記第２の制御回路は、
前記電子機器から、前記状態情報を受信すると、
前記電子商取引サーバー装置に、前記状態情報を送信し、
前記電子商取引サーバー装置の前記第３の制御回路は、
前記出品用端末装置から、前記状態情報を受信し、
前記状態情報に基づき、前記電子機器の前記最新価格を更新することにより販売価格を決定し、
前記購入用端末装置に、決定した前記販売価格を通知するための販売価格通知を送信する
電子商取引システム。
【請求項３】
請求項１又は２に記載の電子商取引システムであって、
前記出品用端末装置の前記第２の制御回路は、
前記電子機器に、前記状態情報要求を送信し、
前記電子機器の前記第１の制御回路は、
前記出品用端末装置から、前記状態情報要求を受信すると、
前記出品用端末装置に、前記状態情報を送信し、
前記出品用端末装置の前記第２の制御回路は、
前記電子機器から、前記状態情報を受信し、
前記電子商取引サーバー装置に、前記状態情報を送信し、
前記電子商取引サーバー装置の前記第３の制御回路は、
前記出品用端末装置から、前記状態情報を受信し、
前記状態情報に基づき、前記電子機器の推奨価格を決定し、
前記出品用端末装置に、前記推奨価格を送信し、
前記出品用端末装置の前記第２の制御回路は、
前記電子商取引サーバー装置から、前記推奨価格を受信し、
前記電子商取引サーバー装置に、前記推奨価格と同じ又は異なる希望価格と、前記電子機器を前記電子商取引サイトに出品することを要求するための出品要求とを送信し、
前記電子商取引サーバー装置の前記第３の制御回路は、
前記出品用端末装置から、前記希望価格及び前記出品要求を受信し、
出品対象である前記電子機器を示す情報と、前記希望価格である前記初期価格とを、前記電子商取引サイトにアップロードすることにより前記電子機器を出品する
電子商取引システム。
【請求項４】
請求項１乃至３の何れか一項に記載の電子商取引システムであって、
前記電子商取引サーバー装置の前記第３の制御回路は、
前記電子機器を出品後、特定期間が経過する毎に、前記電子機器の前記最新価格を更新し、
更新後の前記最新価格を、前記電子商取引サイトにアップロードする
電子商取引システム。
【請求項５】
請求項１乃至４の何れか一項に記載の電子商取引システムであって、
前記電子商取引サーバー装置と前記ネットワークを介して通信可能に接続され、第４の制御回路を有する復号装置をさらに具備し、
前記電子機器の前記第１の制御回路は、
前記出品用端末装置に、前記状態情報として、前記電子機器の最新の状態を示す情報を暗号化することにより生成した暗号化状態情報を送信し、
前記出品用端末装置の前記第２の制御回路は、
前記電子機器から、前記暗号化状態情報を受信し、
前記電子商取引サーバー装置に、前記暗号化状態情報を送信し、
前記電子商取引サーバー装置の前記第３の制御回路は、
前記出品用端末装置から、前記暗号化状態情報を受信し、
前記復号装置に、前記暗号化状態情報を復号するための復号要求を送信し、
前記復号装置の前記第４の制御回路は、
前記電子商取引サーバー装置から、前記暗号化状態情報を復号するための前記復号要求を受信し、
前記暗号化状態情報を復号することにより復号状態情報を生成し、
前記電子商取引サーバー装置に、前記復号状態情報を送信し、
前記電子商取引サーバー装置の前記第３の制御回路は、
前記復号装置から、前記復号状態情報を受信し、
前記復号状態情報に基づき、前記初期価格を決定し、前記最新価格を更新する
電子商取引システム。
【請求項６】
請求項１乃至５の何れか一項に記載の電子商取引システムであって、
前記出品用端末装置の前記第２の制御回路は、
前記電子商取引サーバー装置に、前記出品要求とともに、前記最新価格を更新するルールを指定するための価格更新ルール要求を送信し、
前記電子商取引サーバー装置の前記第３の制御回路は、
前記出品用端末装置から、前記価格更新ルール要求を受信し、
前記前記価格更新ルール要求が指定する前記ルールに従って、前記最新価格を更新する
電子商取引システム。
【請求項７】
請求項１乃至６の何れか一項に記載の電子商取引システムであって、
前記電子機器は、画像形成装置であり、
前記状態情報は、ページカウンタ、トナー使用履歴、及び／又は、記憶装置の読み書き回数を示す
電子商取引システム。
【請求項８】
電子商取引サイトを提供し、電子機器と通信可能に接続される出品用端末装置とネットワークを介して通信可能に接続され、
前記出品用端末装置から前記電子商取引サイトに出品することを要求された前記電子機器の初期価格を決定し、
出品対象である前記電子機器と、最新価格としての前記初期価格とを、前記電子商取引サイトにアップロードすることにより前記電子機器を出品し、
前記出品用端末装置から、前記電子機器が稼働すると、前記電子機器の最新の状態を示す情報である状態情報を受信し、
前記状態情報に基づき、前記電子機器の前記最新価格を更新し、
更新後の前記最新価格を、前記電子商取引サイトにアップロードする
制御回路を有する
電子商取引サーバー装置。
【請求項９】
電子商取引サイトを提供し、電子機器と通信可能に接続される出品用端末装置とネットワークを介して通信可能に接続された電子商取引サーバー装置の制御回路を、
前記出品用端末装置から前記電子商取引サイトに出品することを要求された前記電子機器の初期価格を決定し、
出品対象である前記電子機器と、最新価格としての前記初期価格とを、前記電子商取引サイトにアップロードすることにより前記電子機器を出品し、
前記出品用端末装置から、前記電子機器が稼働すると、前記電子機器の最新の状態を示す情報である状態情報を受信し、
前記状態情報に基づき、前記電子機器の前記最新価格を更新し、
更新後の前記最新価格を、前記電子商取引サイトにアップロードする
よう動作させる
電子商取引プログラム。
【発明の詳細な説明】
【技術分野】
【０００１】
本発明は、中古品を売買する電子商取引システム、電子商取引サーバー装置及び電子商取引プログラムに関する。
【背景技術】
【０００２】
中古品を売買する電子商取引システムが知られている。
【先行技術文献】
【特許文献】
【０００３】
【特許文献１】特開２００１−３５０９４８号公報
【発明の概要】
【発明が解決しようとする課題】
【０００４】
中古品を売買する電子商取引システムは、中古品を出品する出品者と、中古品を購入する購入者の両者にとってユーザーフレンドリーであることが望ましい。
【課題を解決するための手段】
【０００５】
本発明の一形態に係る電子商取引システムは、
第１の制御回路を有する電子機器と通信可能に接続され、第２の制御回路を有する出品用端末装置と、
電子商取引サイトを提供し、前記出品用端末装置とネットワークを介して通信可能に接続され、第３の制御回路を有する電子商取引サーバー装置と
を具備し、
前記電子商取引サーバー装置の前記第３の制御回路は、
前記出品用端末装置から前記電子商取引サイトに出品することを要求された前記電子機器の初期価格を決定し、
出品対象である前記電子機器と、最新価格としての前記初期価格とを、前記電子商取引サイトにアップロードすることにより前記電子機器を出品し、
前記電子機器の前記第１の制御回路は、
前記電子機器が稼働すると、前記出品用端末装置に、前記電子機器の最新の状態を示す情報である状態情報を送信し、
前記出品用端末装置の前記第２の制御回路は、
前記電子機器から、前記状態情報を受信し、
前記電子商取引サーバー装置に、前記状態情報を送信し、
前記電子商取引サーバー装置の前記第３の制御回路は、
前記出品用端末装置から、前記状態情報を受信し、
前記状態情報に基づき、前記電子機器の前記最新価格を更新し、
更新後の前記最新価格を、前記電子商取引サイトにアップロードする。
【０００６】
（１）本実施形態によれば、電子商取引サーバー装置は、出品後、電子機器が稼働するに従って変化する状態情報に基づき電子機器の最新価格を更新する。これにより、出品者は、出品後、電子機器を使用せずに保管する必要もなく、購入確定まで出品前と同様に電子機器を稼働（使用）し続けることができるため、出品者にとってユーザーフレンドリーである。同時に、出品後、電子機器の最新価格が適切に更新されるので、購入者も、適切な価格で購入することができ、ユーザーフレンドリーである。
【０００７】
前記電子商取引サーバー装置の前記第３の制御回路は、
前記ネットワークを介して通信可能に接続され、第５の制御回路を有する購入用端末装置から、前記電子機器を購入することを要求するための購入要求を受信し、
前記出品用端末装置に、前記購入要求を受信したことを示す通知である購入要求通知を送信し、
前記出品用端末装置の前記第２の制御回路は、
前記電子商取引サーバー装置から、前記購入要求通知を受信すると、
前記電子機器に、前記状態情報を送信することを要求するための状態情報要求を送信し、
前記電子機器の前記第１の制御回路は、
前記出品用端末装置から、前記状態情報要求を受信すると、
前記出品用端末装置に、前記状態情報を送信し、
前記出品用端末装置の前記第２の制御回路は、
前記電子機器から、前記状態情報を受信すると、
前記電子商取引サーバー装置に、前記状態情報を送信し、
前記電子商取引サーバー装置の前記第３の制御回路は、
前記出品用端末装置から、前記状態情報を受信し、
前記状態情報に基づき、前記電子機器の前記最新価格を更新することにより販売価格を決定し、
前記購入用端末装置に、決定した前記販売価格を通知するための販売価格通知を送信する。
【０００８】
（２）本実施形態によれば、電子商取引サーバー装置は、購入用端末装置から購入要求を受信してから、出品用端末装置から状態情報を受信し、電子機器の販売価格を決定する。これにより、購入要求時の電子機器の状態に基づいて電子機器の販売価格を決定するため、購入者は、適切な価格で購入することができる。
【０００９】
前記出品用端末装置の前記第２の制御回路は、
前記電子機器に、前記状態情報要求を送信し、
前記電子機器の前記第１の制御回路は、
前記出品用端末装置から、前記状態情報要求を受信すると、
前記出品用端末装置に、前記状態情報を送信し、
前記出品用端末装置の前記第２の制御回路は、
前記電子機器から、前記状態情報を受信し、
前記電子商取引サーバー装置に、前記状態情報を送信し、
前記電子商取引サーバー装置の前記第３の制御回路は、
前記出品用端末装置から、前記状態情報を受信し、
前記状態情報に基づき、前記電子機器の推奨価格を決定し、
前記出品用端末装置に、前記推奨価格を送信し、
前記出品用端末装置の前記第２の制御回路は、
前記電子商取引サーバー装置から、前記推奨価格を受信し、
前記電子商取引サーバー装置に、前記推奨価格と同じ又は異なる希望価格と、前記電子機器を前記電子商取引サイトに出品することを要求するための出品要求とを送信し、
前記電子商取引サーバー装置の前記第３の制御回路は、
前記出品用端末装置から、前記希望価格及び前記出品要求を受信し、
出品対象である前記電子機器を示す情報と、前記希望価格である前記初期価格とを、前記電子商取引サイトにアップロードすることにより前記電子機器を出品する。
【００１０】
（３）本実施形態によれば、電子商取引サーバー装置は、出品直前の電子機器の状態情報に基づき、電子機器の推奨価格を決定する。このため、電子機器の初期価格が適切である可能性が高まる。
【００１１】
前記電子商取引サーバー装置の前記第３の制御回路は、
前記電子機器を出品後、特定期間が経過する毎に、前記電子機器の前記最新価格を更新し、
更新後の前記最新価格を、前記電子商取引サイトにアップロードする。
【００１２】
（４）本実施形態によれば、出品後、電子機器の最新価格が需要に応じて更新されるので、購入者は、適切な価格で購入することができる。
【００１３】
前記電子商取引サーバー装置と前記ネットワークを介して通信可能に接続され、第４の制御回路を有する復号装置をさらに具備し、
前記電子機器の前記第１の制御回路は、
前記出品用端末装置に、前記状態情報として、前記電子機器の最新の状態を示す情報を暗号化することにより生成した暗号化状態情報を送信し、
前記出品用端末装置の前記第２の制御回路は、
前記電子機器から、前記暗号化状態情報を受信し、
前記電子商取引サーバー装置に、前記暗号化状態情報を送信し、
前記電子商取引サーバー装置の前記第３の制御回路は、
前記出品用端末装置から、前記暗号化状態情報を受信し、
前記復号装置に、前記暗号化状態情報を復号するための復号要求を送信し、
前記復号装置の前記第４の制御回路は、
前記電子商取引サーバー装置から、前記暗号化状態情報を復号するための前記復号要求を受信し、
前記暗号化状態情報を復号することにより復号状態情報を生成し、
前記電子商取引サーバー装置に、前記復号状態情報を送信し、
前記電子商取引サーバー装置の前記第３の制御回路は、
前記復号装置から、前記復号状態情報を受信し、
前記復号状態情報に基づき、前記初期価格を決定し、前記最新価格を更新する。
【００１４】
（５）本実施形態によれば、出品者が出品用端末装置を操作して電子機器の状態情報を改竄するのを防止できる。その結果、電子機器の最新価格が適切に決定及び更新される。
【００１５】
前記出品用端末装置の前記第２の制御回路は、
前記電子商取引サーバー装置に、前記出品要求とともに、前記最新価格を更新するルールを指定するための価格更新ルール要求を送信し、
前記電子商取引サーバー装置の前記第３の制御回路は、
前記出品用端末装置から、前記価格更新ルール要求を受信し、
前記前記価格更新ルール要求が指定する前記ルールに従って、前記最新価格を更新する。
【００１６】
（６）本実施形態によれば、これにより、出品後、電子機器の最新価格が適切に更新されるので、購入者も、適切な価格で購入することができ、ユーザーフレンドリーである。同時に、出品後、電子機器の最新価格が出品者の希望に従って更新されるので、出品者にとってもユーザーフレンドリーである。
【００１７】
前記電子機器は、画像形成装置であり、
前記状態情報は、ページカウンタ、トナー使用履歴、及び／又は、記憶装置の読み書き回数を示す。
【００１８】
（７）本実施形態によれば、電子商取引サーバー装置は、例えば、ページカウンタ値が大きいほど価格を下げ、非純正のトナー使用履歴があると価格を下げ、記憶装置の読み書き回数が多いほど価格を下げればよい。これにより、電子機器の価格を適切に決定及び更新できる。
【００１９】
本発明の一形態に係る電子商取引サーバー装置は、
電子商取引サイトを提供し、電子機器と通信可能に接続される出品用端末装置とネットワークを介して通信可能に接続され、
前記出品用端末装置から前記電子商取引サイトに出品することを要求された前記電子機器の初期価格を決定し、
出品対象である前記電子機器と、最新価格としての前記初期価格とを、前記電子商取引サイトにアップロードすることにより前記電子機器を出品し、
前記出品用端末装置から、前記電子機器が稼働すると、前記電子機器の最新の状態を示す情報である状態情報を受信し、
前記状態情報に基づき、前記電子機器の前記最新価格を更新し、
更新後の前記最新価格を、前記電子商取引サイトにアップロードする
制御回路を有する。
【００２０】
本発明の一形態に係る電子商取引プログラムは、
電子商取引サイトを提供し、電子機器と通信可能に接続される出品用端末装置とネットワークを介して通信可能に接続された電子商取引サーバー装置の制御回路を、
前記出品用端末装置から前記電子商取引サイトに出品することを要求された前記電子機器の初期価格を決定し、
出品対象である前記電子機器と、最新価格としての前記初期価格とを、前記電子商取引サイトにアップロードすることにより前記電子機器を出品し、
前記出品用端末装置から、前記電子機器が稼働すると、前記電子機器の最新の状態を示す情報である状態情報を受信し、
前記状態情報に基づき、前記電子機器の前記最新価格を更新し、
更新後の前記最新価格を、前記電子商取引サイトにアップロードする
よう動作させる。
【発明の効果】
【００２１】
本発明によれば、中古品を売買する電子商取引システムにおいて、中古品を出品する出品者と、中古品を購入する購入者の両者にとってユーザーフレンドリーであることを図れる。
【００２２】
なお、ここに記載された効果は必ずしも限定されるものではなく、本発明中に記載されたいずれかの効果であってもよい。
【図面の簡単な説明】
【００２３】
【図１】本発明の一実施形態に係る電子商取引システムを示す。
【図２】画像形成装置のハードウェア構成を示す。
【図３】出品用端末装置のハードウェア構成を示す。
【図４】電子商取引サーバー装置のハードウェア構成を示す。
【図５】復号装置のハードウェア構成を示す。
【図６】購入用端末装置のハードウェア構成を示す。
【図７】電子商取引システムの機能的構成を示す。
【図８】電子商取引システムの動作シーケンスを示す。
【図９】出品用端末装置の第１の動作フロー（出品時）を示す。
【図１０】電子機器の動作フローを示す。
【図１１】電子商取引サーバー装置の第１の動作フロー（出品時）を示す。
【図１２】復号装置の動作フローを示す。
【図１３】出品用端末装置の第２の動作フロー（出品中、購入時）を示す。
【図１４】電子商取引サーバー装置の第２の動作フロー（出品中）を示す。
【図１５】購入用端末装置の動作フローを示す。
【図１６】電子商取引サーバー装置の第３の動作フロー（購入時）を示す。
【発明を実施するための形態】
【００２４】
以下、図面を参照しながら、本発明の実施形態を説明する。
【００２５】
１．電子商取引システム
【００２６】
図１は、本発明の一実施形態に係る電子商取引システムを示す。
【００２７】
電子商取引システム１は、電子商取引サーバー装置３０と、復号装置４０と、出品用端末装置２０とを有する。電子商取引システム１は、電子機器１０と、購入用端末装置５０とをさらに有してもよい。
【００２８】
電子商取引サーバー装置３０は、ネットワークＮ１（インターネット）に接続され、電子商取引サイトを提供する、ウェブサーバー装置である。電子商取引サイトでは、出品者及び購入者が、中古品である電子機器１０を売買する。
【００２９】
復号装置４０は、暗号化された情報（電子機器１０に関する情報）を電子商取引サーバー装置３０から受信し、受信した情報を復号し、復号した情報を電子商取引サーバー装置３０に送信する。復号装置４０は、電子商取引サーバー装置３０と通信可能に接続される。例えば、復号装置４０は、電子商取引サーバー装置３０とネットワークＮ１（インターネット）を介して通信可能に接続されればよい（図示）。あるいは、復号装置４０は、電子商取引サーバー装置３０とＬＡＮ（図示せず）を介して通信可能に接続されてもよい。あるいは、電子商取引サーバー装置３０及び復号装置４０は、単一の装置でもよい。
【００３０】
電子商取引サーバー装置３０及び復号装置４０が別個の装置である場合、例えば、電子商取引サーバー装置３０は、電子商取引サイト提供事業者が使用し、復号装置４０は、電子機器１０のメーカー等が使用すればよい。電子商取引サーバー装置３０及び復号装置４０が単一の装置である場合、単一の装置は、例えば、電子機器１０のメーカー等が使用すればよい。あるいは、単一の装置は、例えば、電子商取引サイト提供事業者が使用すればよい。この場合、電子商取引サイト提供事業者が使用する単一の機器は、予め、電子機器１０のメーカー等から復号に必要な情報等を取得しておけばよい。
【００３１】
出品用端末装置２０は、出品者（エンドユーザー）が使用するパーソナルコンピューター、タブレットコンピューター、スマートフォン等である。出品用端末装置２０は、ネットワークＮ２（ＬＡＮ）、ファイアウォールＦ及びネットワークＮ１（インターネット）を介して、電子商取引サーバー装置３０と通信可能に接続される。出品用端末装置２０は、電子商取引サーバー装置３０と通信してウェブアプリケーションを実行することにより、電子商取引サイトにアクセスする。出品用端末装置２０は、電子商取引サーバー装置３０に、電子機器１０を電子商取引サイトに出品することを要求する。以下、ネットワークＮ１及びＮ２を併せてネットワークＮと図示及び説明する場合がある。
【００３２】
電子機器１０は、電子商取引サイトに出品される対象の中古品である。電子機器１０は、電子商取引サイト提供事業者の倉庫等に保管されるのではなく、出品者が使用中である。電子機器１０は、出品用端末装置２０と通信可能に接続されれば、如何なる電子機器でもよい。本例では、電子機器１０は画像形成装置である。電子機器１０は、出品用端末装置２０と通信可能に接続される。例えば、電子機器１０は、出品用端末装置２０とネットワークＮ２を介して通信可能に接続されればよい（図示）。あるいは、電子機器１０は、出品用端末装置２０とBluetooth（登録商標）等の近距離無線通信等を介して通信可能に接続されてもよい（図示せず）。電子機器１０は、例えば、パーソナルコンピューター、タブレットコンピューター、スマートフォン、スマートウォッチ、スマートスピーカー、パーソナルコンピューター周辺機器、テレビジョン受像機、オーディオビジュアル機器、家電機器、カーナビゲーション装置、医療機器等でもよい。
【００３３】
購入用端末装置５０は、購入者（エンドユーザー）が使用するパーソナルコンピューター、タブレットコンピューター、スマートフォン等である。購入用端末装置５０は、ネットワークＮ１を介して、電子商取引サーバー装置３０と通信可能に接続される。購入用端末装置５０は、電子商取引サーバー装置３０と通信してウェブアプリケーションを実行することにより、電子商取引サイトにアクセスする。購入用端末装置５０は、電子商取引サーバー装置３０に、電子機器１０を購入することを要求する。要するに、出品用端末装置２０及び購入用端末装置５０は、同一のウェブアプリケーションを実行するが、出品側及び購入側として異なる機能を実行する。
【００３４】
２．画像形成装置のハードウェア構成
【００３５】
図２は、画像形成装置のハードウェア構成を示す。
【００３６】
電子機器１０（画像形成装置）は、制御回路１１を備える。制御回路１１は、プロセッサーであるＣＰＵ１１ａ（Central Processing Unit）、ＲＡＭ１１ｂ（Random Access Memory）、メモリーであるＲＯＭ１１ｃ（Read Only Memory）及び専用のハードウェア回路等から構成され、電子機器１０（画像形成装置）の全体的な動作制御を司る。ＣＰＵ１１ａは、ＲＯＭ１１ｃが記憶する情報処理プログラムをＲＡＭ１１ｂにロードして実行する。ＲＯＭ１１ｃは、ＣＰＵ１１ａが実行するプログラムやデータなどを固定的に記憶する。ＲＯＭ１１ｃは、非一過性のコンピューター読み取り可能な記録媒体の一例である。
【００３７】
制御回路１１は、画像読取部１２（イメージスキャナー）、画像処理部１４（ＧＰＵ（Graphics Processing Unit）を含む）、画像メモリー１５、画像形成部１６（プリンター）、表示部１７ａを備える操作部１７（タッチパネル）、ＨＤＤ（Hard Disk Drive）やＳＳＤ（Solid State Drive）等の大容量の不揮発性の記憶装置１８、ファクシミリ通信部１９及びネットワーク通信インターフェース１３等と接続されている。制御回路１１は、接続されている上記各部の動作制御や、各部との間での信号又はデータの送受信を行う。操作部１７（タッチパネル）は、入力装置の一形態であり、入力装置として、マイクロフォンを含む音声入力装置が設けられてもよい。画像形成部１６は、静電式画像形成機構を有する。
【００３８】
３．出品用端末装置のハードウェア構成
【００３９】
図３は、出品用端末装置のハードウェア構成を示す。
【００４０】
出品用端末装置２０は、ＣＰＵ２１、ＲＯＭ２２、ＲＡＭ２３、記憶装置２４、ネットワーク通信インターフェース２５、操作装置２６及び表示装置２７と、これらを相互に接続するバス２８とを有する。
【００４１】
ＣＰＵ２１、ＲＯＭ２２、及びＲＡＭ２３は、制御回路２００を構成する。ＣＰＵ２１は、ＲＯＭ２２が記憶する情報処理プログラムをＲＡＭ２３にロードして実行する。ＲＯＭ２２は、ＣＰＵ２１が実行するプログラムやデータなどを固定的に記憶する。ＲＯＭ２２は、非一過性のコンピューター読み取り可能な記録媒体の一例である。
【００４２】
４．電子商取引サーバー装置のハードウェア構成
【００４３】
図４は、電子商取引サーバー装置のハードウェア構成を示す。
【００４４】
電子商取引サーバー装置３０は、ＣＰＵ３１、ＲＯＭ３２、ＲＡＭ３３、記憶装置３４、ネットワーク通信インターフェース３５、操作装置３６及び表示装置３７と、これらを相互に接続するバス３８とを有する。
【００４５】
ＣＰＵ３１、ＲＯＭ３２、及びＲＡＭ３３は、制御回路３００を構成する。ＣＰＵ３１は、ＲＯＭ３２が記憶する情報処理プログラムをＲＡＭ３３にロードして実行する。ＲＯＭ３２は、ＣＰＵ３１が実行するプログラムやデータなどを固定的に記憶する。ＲＯＭ３２は、非一過性のコンピューター読み取り可能な記録媒体の一例である。
【００４６】
５．復号装置のハードウェア構成
【００４７】
図５は、復号装置のハードウェア構成を示す。
【００４８】
復号装置４０は、ＣＰＵ４１、ＲＯＭ４２、ＲＡＭ４３、記憶装置４４、ネットワーク通信インターフェース４５、操作装置４６及び表示装置４７と、これらを相互に接続するバス４８とを有する。
【００４９】
ＣＰＵ４１、ＲＯＭ４２、及びＲＡＭ４３は、制御回路４００を構成する。ＣＰＵ４１は、ＲＯＭ４２が記憶する情報処理プログラムをＲＡＭ４３にロードして実行する。ＲＯＭ４２は、ＣＰＵ４１が実行するプログラムやデータなどを固定的に記憶する。ＲＯＭ４２は、非一過性のコンピューター読み取り可能な記録媒体の一例である。
【００５０】
６．購入用端末装置のハードウェア構成
【００５１】
図６は、購入用端末装置のハードウェア構成を示す。
【００５２】
購入用端末装置５０は、ＣＰＵ５１、ＲＯＭ５２、ＲＡＭ５３、記憶装置５４、ネットワーク通信インターフェース５５、操作装置５６及び表示装置５７と、これらを相互に接続するバス５８とを有する。
【００５３】
ＣＰＵ５１、ＲＯＭ５２、及びＲＡＭ５３は、制御回路５００を構成する。ＣＰＵ５１は、ＲＯＭ５２が記憶する情報処理プログラムをＲＡＭ５３にロードして実行する。ＲＯＭ５２は、ＣＰＵ５１が実行するプログラムやデータなどを固定的に記憶する。ＲＯＭ５２は、非一過性のコンピューター読み取り可能な記録媒体の一例である。
【００５４】
７．電子商取引システムの機能的構成
【００５５】
図７は、電子商取引システムの機能的構成を示す。
【００５６】
電子機器１０の制御回路１１（第１の制御回路）において、ＣＰＵ１１ａは、ＲＯＭ１１ｃが記憶する情報処理プログラムをＲＡＭ１１ｂにロードして実行することにより、機器情報供給部１０１として動作する。
【００５７】
出品用端末装置２０の制御回路２００（第２の制御回路）において、ＣＰＵ２１は、ＲＯＭ２２が記憶する情報処理プログラム（ウェブアプリケーション）をＲＡＭ２３にロードして実行することにより、機器情報取得部２０１、機器情報登録部２０２、出品決定部２０３、購入要求通知取得部２０４及び購入確定通知取得部２０５として動作する。
【００５８】
電子商取引サーバー装置３０の制御回路３００（第３の制御回路）において、ＣＰＵ３１は、ＲＯＭ３２が記憶する情報処理プログラム（電子商取引プログラム）をＲＡＭ３３にロードして実行することにより、復号要求部３０１、価格決定部３０２、アップロード部３０３、購入要求取得部３０４、販売価格通知部３０５及び購入確定部３０６として動作する。
【００５９】
復号装置４０の制御回路４００（第４の制御回路）において、ＣＰＵ４１は、ＲＯＭ４２が記憶する情報処理プログラムをＲＡＭ４３にロードして実行することにより、復号部４０１として動作する。
【００６０】
購入用端末装置５０の制御回路５００（第５の制御回路）において、ＣＰＵ５１は、ＲＯＭ５２が記憶する情報処理プログラム（ウェブアプリケーション）をＲＡＭ５３にロードして実行することにより、購入要求供給部５０１、販売価格取得部５０２及び購入確定供給部５０３として動作する。
【００６１】
８．電子商取引システムの動作
【００６２】
図８は、電子商取引システムの動作シーケンスを示す。
【００６３】
以下、（１）出品時の動作、（２）出品中の動作、（３）購入時の動作に分けて説明する。
【００６４】
（１）出品時の動作
【００６５】
図９は、出品用端末装置の第１の動作フロー（出品時）を示す。
【００６６】
出品用端末装置２０の機器情報取得部２０１は、出品すべき電子機器１０を、出品用端末装置２０に登録する（ステップＳ２０１）。例えば、出品用端末装置２０は、ネットワークＮ２（ＬＡＮ）に接続された１以上の電子機器を検索し、検索した１以上の電子機器を表示装置２７に表示し、操作装置２６を介して出品者により選択された１以上の電子機器から電子機器１０を登録すればよい。
【００６７】
出品用端末装置２０の機器情報取得部２０１は、電子機器１０に、製品情報を送信することを要求するための製品情報要求と、状態情報を送信することを要求するための状態情報要求とを送信する（ステップＳ２０２）。
【００６８】
「製品情報」は、電子機器１０の製造時の情報を示す静的な情報である。「製品情報」は、例えば、モデル名、製造年、スペック等を含む。「状態情報」は、電子機器１０の最新の状態を示す動的な情報である。「状態情報」は、電子機器１０が画像形成装置の場合、例えば、ページカウンタ値、トナー使用履歴（今まで使用したトナーが純正か非純正か）、及び／又は、記憶装置（ＳＳＤ等）の読み書き回数等を示す情報を含む。
【００６９】
図１０は、電子機器の動作フローを示す。
【００７０】
電子機器１０の機器情報供給部１０１は、出品用端末装置２０から、製品情報要求と、状態情報要求とを受信する（ステップＳ１０１、ＹＥＳ）。機器情報供給部１０１は、電子機器１０の製品情報及び状態情報を記憶装置１８から読み出す（ステップＳ１０２）。機器情報供給部１０１は、製品情報及び状態情報を暗号化することにより、暗号化製品情報及び暗号化状態情報を生成する（ステップＳ１０３）。機器情報供給部１０１は、出品用端末装置２０に、暗号化製品情報及び暗号化状態情報を送信する（ステップＳ１０４）。
【００７１】
出品用端末装置２０の機器情報取得部２０１は、電子機器１０から、暗号化製品情報及び暗号化状態情報を受信する（ステップＳ２０３、ＹＥＳ）。
【００７２】
出品用端末装置２０の機器情報登録部２０２は、電子商取引サーバー装置３０に、暗号化製品情報及び暗号化状態情報を送信する（ステップＳ２０４）。
【００７３】
図１１は、電子商取引サーバー装置の第１の動作フロー（出品時）を示す。
【００７４】
電子商取引サーバー装置３０の復号要求部３０１は、出品用端末装置２０から、暗号化製品情報及び暗号化状態情報を受信する（ステップＳ３０１、ＹＥＳ）。復号要求部３０１は、復号装置４０に、暗号化製品情報及び暗号化状態情報を復号するための復号要求を送信する（ステップＳ３０２）。
【００７５】
図１２は、復号装置の動作フローを示す。
【００７６】
復号装置４０の復号部４０１は、電子商取引サーバー装置３０から、暗号化製品情報及び暗号化状態情報を復号するための復号要求を受信する（ステップＳ４０１）。復号部４０１は、暗号化製品情報及び暗号化状態情報を復号することにより復号製品情報及び復号状態情報を生成する（ステップＳ４０２）。復号部４０１は、電子商取引サーバー装置３０に、復号製品情報及び復号状態情報を送信する（ステップＳ４０３）。
【００７７】
電子商取引サーバー装置３０の復号要求部３０１は、復号装置４０から、復号製品情報及び復号状態情報を受信する（ステップＳ３０３）。即ち、復号要求部３０１は、復号後の電子機器１０の製品情報（例えば、モデル名、製造年、スペック等）及び状態情報（最新のページカウンタ値、トナー使用履歴、及び／又は、記憶装置の読み書き回数等）を取得する。
【００７８】
電子商取引サーバー装置３０の価格決定部３０２は、電子機器１０の製品情報及び状態情報に基づき、電子機器１０の推奨価格を決定する（ステップＳ３０４）。例えば、価格決定部３０２は、製品情報（例えば、モデル名、製造年、スペック等）毎に設定された基本価格から、電子機器１０の状態情報に応じて価格を下げることにより推奨価格を決定すればよい。基本価格は、典型的には、製造年が古いほど低価格とすればよいが、製造年が古くても希少価値が高ければ、高価格としてもよい。例えば、価格決定部３０２は、ページカウンタ値が大きいほど推奨価格を下げ、非純正のトナー使用履歴があると推奨価格を下げ、記憶装置の読み書き回数が多いほど推奨価格を下げればよい。価格決定部３０２は、出品用端末装置２０に、決定した推奨価格を送信する（ステップＳ３０５）
【００７９】
出品用端末装置２０の出品決定部２０３は、電子商取引サーバー装置３０から、推奨価格を受信する（ステップＳ２０５、ＹＥＳ）。出品決定部２０３は、推奨価格出品者に提示（例えば、表示装置２７に表示）する。出品決定部２０３は、操作装置２６を介して出品者より入力された希望価格を判断する。希望価格は、推奨価格と同一の場合もあるし、異なる場合もあり、出品者次第である。さらに、出品決定部２０３は、操作装置２６を介して出品者より入力された価格更新ルールを判断する。
【００８０】
「価格更新ルール」は、電子機器１０の出品後に、使用中の電子機器１０の価格「最新価格）を更新するためのルールである。価格更新ルールは、電子機器１０の最新の状態を示す状態情報に依存するルールと、電子機器１０の状態情報に非依存のルールとがある。電子機器１０の状態情報に依存するルールは、例えば、ページカウンタ値が特定数増える毎に特定金額値下げする、非純正のトナーが装着されると特定金額値下げする、記憶装置の読み書き回数が特定数増える毎に特定金額値下げする、等のルールを含む。電子機器１０の状態情報に非依存のルールは、例えば、出品後特定時間（１週間等）経過する毎に特定金額値下げする、等のルールを含む。
【００８１】
出品用端末装置２０の出品決定部２０３は、操作装置２６を介して出品者より、出品要求が入力されたことを判断する（ステップＳ２０６）。出品決定部２０３は、電子商取引サーバー装置３０に、希望価格と、価格更新ルールを指定するための価格更新ルール要求と、電子機器１０を電子商取引サイトに出品することを要求するための出品要求とを送信する（ステップＳ２０７）。
【００８２】
電子商取引サーバー装置３０のアップロード部３０３は、出品用端末装置２０から、希望価格と、価格更新ルール要求と、出品要求とを受信する（ステップＳ３０６、ＹＥＳ）。アップロード部３０３は、希望価格（推奨価格と同じ又は異なる）を初期価格として決定する。アップロード部３０３は、出品対象である電子機器１０を示す情報と、初期価格とを、電子商取引サイトにアップロードすることにより、電子機器１０を出品する（ステップＳ３０７）。アップロード部３０３は、価格更新ルール要求により指定される価格更新ルールを電子商取引サイトにアップロードしてもよいし、しなくてもよい。
【００８３】
（２）出品中の動作
【００８４】
図１０を再び参照し、電子機器１０の機器情報供給部１０１は、電子機器１０が稼働（ユーザーが使用。以下同じ）すると（ステップＳ１０５、ＹＥＳ）、電子機器１０の状態情報（電子機器１０の最新の状態を示す）を記憶装置１８から読み出す（ステップＳ１０２）。機器情報供給部１０１は、状態情報を暗号化することにより、暗号化状態情報を生成する（ステップＳ１０３）。機器情報供給部１０１は、出品用端末装置２０に、状態情報を送信する（ステップＳ１０４）。例えば、機器情報供給部１０１は、電子機器１０が稼働する度に、出品用端末装置２０からポーリングを受信する毎に、あるいは、定期的（能動的）に、暗号化状態情報を生成及び送信してもよい。
【００８５】
図１３は、出品用端末装置の第２の動作フロー（出品中、購入時）を示す。
【００８６】
出品用端末装置２０の機器情報取得部２０１は、電子機器１０から、暗号化状態情報を受信する（ステップＳ２０３Ａ、ＹＥＳ）。
【００８７】
出品用端末装置２０の機器情報登録部２０２は、電子商取引サーバー装置３０に、暗号化状態情報を送信する（ステップＳ２０４Ａ）。
【００８８】
図１４は、電子商取引サーバー装置の第２の動作フロー（出品中）を示す。
【００８９】
電子商取引サーバー装置３０の復号要求部３０１は、出品用端末装置２０から、暗号化状態情報を受信する（ステップＳ３０１Ａ、ＹＥＳ）。復号要求部３０１は、復号装置４０に、暗号化状態情報を復号するための復号要求を送信する（ステップＳ３０２Ａ）。
【００９０】
図１２を再び参照し、復号装置４０の復号部４０１は、電子商取引サーバー装置３０から、暗号化状態情報を復号するための復号要求を受信する（ステップＳ４０１）。復号部４０１は、暗号化状態情報を復号することにより復号状態情報を生成する（ステップＳ４０２）。復号部４０１は、電子商取引サーバー装置３０に、復号状態情報を送信する（ステップＳ４０３）。
【００９１】
電子商取引サーバー装置３０の復号要求部３０１は、復号装置４０から、復号状態情報を受信する（ステップＳ３０３Ａ）。即ち、復号要求部３０１は、復号後の電子機器１０の状態情報（最新のページカウンタ値、トナー使用履歴、及び／又は、記憶装置の読み書き回数等）を取得する。
【００９２】
電子商取引サーバー装置３０の価格決定部３０２は、電子機器１０の状態情報及び価格更新ルールに基づき、電子機器１０の最新価格を更新する（ステップＳ３０４Ａ）。アップロード部３０３は、電子機器１０の更新後の最新価格を、電子商取引サイトにアップロードする（ステップＳ３０７Ａ）。
【００９３】
さらに、電子商取引サーバー装置３０の価格決定部３０２は、価格更新ルール（電子機器１０の状態情報に非依存のルール）に基づき、例えば、出品後特定時間（１週間等）経過する毎に（ステップＳ３０８、ＹＥＳ）、電子機器１０の最新価格を更新する（ステップＳ３０４Ａ）。アップロード部３０３は、電子機器１０の更新後の最新価格を、電子商取引サイトにアップロードする（ステップＳ３０７Ａ）。
【００９４】
（３）購入時の動作
【００９５】
図１５は、購入用端末装置の動作フローを示す。
【００９６】
購入用端末装置５０の購入要求供給部５０１は、操作装置５６を介して購入者より入力された購入要求操作を検出する（ステップＳ５０１、ＹＥＳ）。購入要求供給部５０１は、電子商取引サーバー装置３０に、電子機器１０を購入することを要求するための購入要求を送信する（ステップＳ５０２）。
【００９７】
図１６は、電子商取引サーバー装置の第３の動作フロー（購入時）を示す。
【００９８】
電子商取引サーバー装置３０の購入要求取得部３０４は、購入用端末装置５０から、購入要求を受信する（ステップＳ３１１、ＹＥＳ）。購入要求取得部３０４は、出品用端末装置２０に、購入要求を受信したことを示す通知（購入要求通知）を送信する（ステップＳ３１２）。
【００９９】
図１３を再び参照し、出品用端末装置２０の購入要求通知取得部２０４は、電子商取引サーバー装置３０から、購入要求通知を受信する（ステップＳ２１１、ＹＥＳ）。購入要求通知取得部２０４は、購入要求通知を受信したことを出品者に通知（例えば、表示装置２７に表示）する（ステップＳ２１２）。出品者は、出品用端末装置２０が購入要求通知を受信したことを知ると、電子機器１０の使用を停止する。
【０１００】
出品用端末装置２０の機器情報取得部２０１は、電子機器１０に、状態情報要求を送信する（ステップＳ２０２Ｂ）。
【０１０１】
図１０を再び参照し、電子機器１０の機器情報供給部１０１は、出品用端末装置２０から、状態情報要求とを受信する（ステップＳ１０１、ＹＥＳ）。機器情報供給部１０１は、電子機器１０の状態情報（電子機器１０の最新の状態を示す）を記憶装置１８から読み出す（ステップＳ１０２）。機器情報供給部１０１は、状態情報を暗号化することにより、暗号化状態情報を生成する（ステップＳ１０３）。機器情報供給部１０１は、出品用端末装置２０に、状態情報を送信する（ステップＳ１０４）。
【０１０２】
出品用端末装置２０の機器情報取得部２０１は、電子機器１０から、暗号化状態情報を受信する（ステップＳ２０３Ｂ、ＹＥＳ）。
【０１０３】
出品用端末装置２０の機器情報登録部２０２は、電子商取引サーバー装置３０に、暗号化状態情報を送信する（ステップＳ２０４Ｂ）。
【０１０４】
電子商取引サーバー装置３０の復号要求部３０１は、出品用端末装置２０から、暗号化状態情報を受信する（ステップＳ３０１Ｂ、ＹＥＳ）。復号要求部３０１は、復号装置４０に、暗号化状態情報を復号するための復号要求を送信する（ステップＳ３０２Ｂ）。
【０１０５】
図１２を再び参照し、復号装置４０の復号部４０１は、電子商取引サーバー装置３０から、暗号化状態情報を復号するための復号要求を受信する（ステップＳ４０１）。復号部４０１は、暗号化状態情報を復号することにより復号状態情報を生成する（ステップＳ４０２）。復号部４０１は、電子商取引サーバー装置３０に、復号状態情報を送信する（ステップＳ４０３）。
【０１０６】
電子商取引サーバー装置３０の復号要求部３０１は、復号装置４０から、復号状態情報を受信する（ステップＳ３０３Ｂ）。即ち、復号要求部３０１は、復号後の電子機器１０の状態情報（最新のページカウンタ値、トナー使用履歴、及び／又は、記憶装置の読み書き回数等）を取得する。
【０１０７】
電子商取引サーバー装置３０の価格決定部３０２は、電子機器１０の状態情報及び価格更新ルールに基づき、電子機器１０の最新価格を更新することにより販売価格を決定する（ステップＳ３０４Ｂ）。
【０１０８】
電子商取引サーバー装置３０の販売価格通知部３０５は、購入用端末装置５０に、販売価格を通知するための販売価格通知を送信する（ステップＳ３１３）。販売価格通知部３０５は、出品用端末装置２０にも販売価格通知を送信してもよいし、送信しなくてもよい。
【０１０９】
購入用端末装置５０の販売価格取得部５０２は、電子商取引サーバー装置３０から、販売価格通知を受信する（ステップＳ５０３、ＹＥＳ）。販売価格取得部５０２は、販売価格通知により指定された販売価格を購入者に通知（例えば、表示装置５７に表示）する（ステップＳ５０４）。
【０１１０】
購入用端末装置５０の購入確定供給部５０３は、操作装置５６を介して購入者より入力された購入確定操作を検出する（ステップＳ５０５、ＹＥＳ）。購入確定供給部５０３は、電子商取引サーバー装置３０に、電子機器１０を購入することを確定するための購入確定要求を送信する（ステップＳ５０６）。
【０１１１】
電子商取引サーバー装置３０の購入確定部３０６は、購入用端末装置５０から、購入確定要求を受信する（ステップＳ３１４、ＹＥＳ）。購入確定部３０６は、購入用端末装置５０から購入確定要求を受信したことを示す通知である購入確定通知を出品用端末装置２０に送信する（ステップＳ３１５）。一方、アップロード部３０３は、出品中の電子機器１０が販売終了したことを示す情報を、電子商取引サイトにアップロードする（ステップＳ３１６）。
【０１１２】
出品用端末装置２０の購入確定通知取得部２０５は、電子商取引サーバー装置３０から、購入確定通知を受信する（ステップＳ２１３、ＹＥＳ）。購入確定通知取得部２０５は、購入確定通知を受信したことを出品者に通知（例えば、表示装置２７に表示）する（ステップＳ２１４）。
【０１１３】
９．変形例
【０１１４】
例えば、電子機器１０の出品中に、最新価格よりも電子機器１０の価値（特に、希少価値）が高まるケースがある。例えば、電子機器１０と同機種の電子機器が生産終了となったり、原料不足（自然災害の影響等）のため生産不可能となるケースが考えられる。このような場合、電子商取引サーバー装置３０の価格決定部３０２は、価格更新ルールに従わずに最新価格を上げてもよい。この場合、電子商取引サーバー装置３０の価格決定部３０２は、出品用端末装置２０に、最新価格を上げることを提案するための通知を送信し、出品用端末装置２０から許可を示す応答を受信してから、最新価格を上げればよい。
【０１１５】
１０．結語
【０１１６】
中古品を売買する電子商取引システムにおいては、販売対象である中古品の状態や品質等に基づき、出品時に価格が決められる。このため、出品者は、一旦出品すると、販売対象である中古品の状態や品質等を保証するため、中古品を使用せずに保管する必要がある。このため、中古品を出品する出品者にとっては、購入確定まで中古品を保管する必要があり、その反面、中古品を保管（所有）しているにも拘らず中古品を使用できない。一方、出品後、電子商取引サイト提供事業者の倉庫等に中古品を保管することも考えられるが、この場合も依然として、購入確定まで中古品を保管するスペースが必要であり、中古品を使用できない。
【０１１７】
（１）以上のような事情に鑑み、本実施形態によれば、電子商取引サーバー装置３０は、電子機器１０が稼働すると（ステップＳ１０５、ＹＥＳ）、出品用端末装置２０から電子機器１０の状態情報を受信し（ステップＳ３０１Ａ、ＹＥＳ）、状態情報に基づき電子機器１０の最新価格を更新し（ステップＳ３０４Ａ）、更新後の最新価格を電子商取引サイトにアップロードする（ステップＳ３０７Ａ）。このように、電子商取引サーバー装置３０は、出品後、電子機器１０が稼働するに従って変化する状態情報に基づき電子機器１０の最新価格を更新する。これにより、出品者は、出品後、電子機器１０を使用せずに保管する必要もなく、購入確定まで出品前と同様に電子機器１０を稼働（使用）し続けることができるため、出品者にとってユーザーフレンドリーである。同時に、出品後、電子機器１０の最新価格が適切に更新されるので、購入者も、適切な価格で購入することができ、ユーザーフレンドリーである。さらに、電子商取引サイト提供事業者の倉庫等に電子機器１０を保管する必要もないし、出品者の出品に対するハードルも下がる（購入確定まで出品前と同様に電子機器１０を稼働（使用）し続けることができるため）と考えられ、電子商取引サイト提供事業者にとっても有益である。
【０１１８】
（２）本実施形態によれば、電子商取引サーバー装置３０は、購入用端末装置５０から購入要求を受信すると（ステップＳ３１１、ＹＥＳ）、出品用端末装置２０から状態情報を受信し（ステップＳ３０１Ｂ、ＹＥＳ）、状態情報に基づき電子機器１０の販売価格を決定し（ステップＳ３０４Ｂ）、購入用端末装置５０に、決定した販売価格を通知する（ステップＳ３１４）。このように、電子商取引サーバー装置３０は、購入用端末装置５０から購入要求を受信してから、出品用端末装置２０から状態情報を受信し、電子機器１０の販売価格を決定する。これにより、購入要求時の電子機器１０の状態に基づいて電子機器１０の販売価格を決定するため、購入者は、適切な価格で購入することができる。
【０１１９】
（３）本実施形態によれば、電子商取引サーバー装置３０は、出品前に、出品用端末装置２０から受信した状態情報に基づき、電子機器１０の推奨価格を決定する（ステップＳ３０４）。このように、電子商取引サーバー装置３０は、出品直前の電子機器１０の状態情報に基づき、電子機器１０の推奨価格を決定する。このため、電子機器１０の初期価格が適切である可能性が高まる。
【０１２０】
（４）本実施形態によれば、電子商取引サーバー装置３０は、電子機器１０を出品後、特定期間が経過する毎に（ステップＳ３０８、ＹＥＳ）、電子機器１０の最新価格を更新する（ステップＳ３０４Ａ）。出品後、電子機器１０の最新価格が需要に応じて更新されるので、購入者も、適切な価格で購入することができる。
【０１２１】
（５）本実施形態によれば、電子機器１０は、状態情報として、電子機器１０の最新の状態を示す情報を暗号化（ステップＳ１０３）することにより生成した暗号化状態情報を出品用端末装置２０に送信する（ステップＳ１０４）。これにより、出品者が出品用端末装置２０を操作して電子機器１０の状態情報を改竄するのを防止できる。その結果、電子機器１０の最新価格が適切に決定及び更新される。
【０１２２】
（６）本実施形態によれば、電子商取引サーバー装置３０は、出品用端末装置２０が出品する指定（ステップＳ２０７）する価格更新ルールに従って、最新価格を更新する（ステップＳ３０４Ａ）。これにより、出品後、電子機器１０の最新価格が適切に更新されるので、購入者も、適切な価格で購入することができ、ユーザーフレンドリーである。同時に、出品後、電子機器１０の最新価格が出品者の希望に従って更新されるので、出品者にとってもユーザーフレンドリーである。
【０１２３】
（７）本実施形態によれば、電子機器１０は、画像形成装置であり、状態情報は、ページカウンタ、トナー使用履歴、及び／又は、記憶装置の読み書き回数を示す。これにより、電子商取引サーバー装置３０は、例えば、ページカウンタ値が大きいほど価格を下げ、非純正のトナー使用履歴があると価格を下げ、記憶装置の読み書き回数が多いほど価格を下げればよい。これにより、電子機器１０の価格を適切に決定及び更新できる。
【０１２４】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【０１２５】
電子商取引システム１
電子機器１０１０
出品用端末装置２０
電子商取引サーバー装置３０
復号装置４０
購入用端末装置５０
機器情報供給部１０１
機器情報取得部２０１
機器情報登録部２０２
出品決定部２０３
購入要求通知取得部２０４
購入確定通知取得部２０５
復号要求部３０１
価格決定部３０２
アップロード部３０３
購入要求取得部３０４
販売価格通知部３０５
購入確定部３０６
復号部４０１
購入要求供給部５０１
販売価格取得部５０２
購入確定供給部５０３
【図１】
2020154379.tif 000003
【図２】
2020154379.tif 000004
【図３】
2020154379.tif 000005
【図４】
2020154379.tif 000006
【図５】
2020154379.tif 000007
【図６】
2020154379.tif 000008
【図７】
2020154379.tif 000009
【図８】
2020154379.tif 000010
【図９】
2020154379.tif 000011
【図１０】
2020154379.tif 000012
【図１１】
2020154379.tif 000013
【図１２】
2020154379.tif 000014
【図１３】
2020154379.tif 000015
【図１４】
2020154379.tif 000016
【図１５】
2020154379.tif 000017
【図１６】
2020154379.tif 000018